(57)【要約】【課題】電源スイッチがＯＦＦされた場合に確実に制御ユニットを初期化する。【解決手段】初期化装置９１は、ゼロクロス信号生成回路７１からのゼロクロス信号Ｓ１が予め設定された所定期間以上入力されない場合に、商用電源から電源ユニット７への電力の供給が停止された旨の信号Ｓ２（＝ＯＦＦ状態：Ｌｏｗレベル）を出力するワンショットマルチ回路９１１と、ワンショットマルチ回路９１１の信号Ｓ２がＯＦＦ状態（＝Ｌｏｗレベル）になると、負荷抵抗Ｒ２を介して５Ｖの直流電源ラインを接地させるトランジスタＴＲ１、ＴＲ２と、を備えている。【選択図】図４
2008080531.tif 000002
【特許請求の範囲】
【請求項１】
外部から操作可能な電源スイッチを介して商用電源と通電可能に接続された電源ユニットから予め設定された所定の直流電圧が印加されると共に、ＣＰＵを有する制御ユニットを初期化する制御ユニット初期化装置であって、
前記電源スイッチを介して商用電源から前記電源ユニットへの電力の供給が停止されたことを検出する操作検出手段と、
前記操作検出手段によって電力の供給が停止されたと検出された場合に、前記ＣＰＵに対して、リセット信号を出力するリセット信号生成手段と、
を備えることを特徴とする制御ユニット初期化装置。
【請求項２】
外部から操作可能な電源スイッチを介して商用電源と通電可能に接続された電源ユニットから予め設定された所定の直流電圧が印加されると共に、ＣＰＵを有する制御ユニットを初期化する制御ユニット初期化装置であって、
前記電源スイッチを介して商用電源から前記電源ユニットへの電力の供給が停止されたことを検出する操作検出手段と、
前記操作検出手段によって電力の供給が停止されたと検出された場合に、前記所定の直流電圧を前記制御ユニットに供給する配線である電源ラインを接地する接地手段と、
を備えることを特徴とする制御ユニット初期化装置。
【請求項３】
前記電源ユニットは、商用電源から供給される電圧のゼロクロス点に対応するパルス信号であるゼロクロス信号を生成するゼロクロス信号生成手段を備え、
前記操作検出手段は、前記ゼロクロス信号に基づいて、商用電源から前記電源ユニットへの電力の供給が停止されたことを検出することを特徴とする請求項１又は請求項２に記載の制御ユニット初期化装置。
【請求項４】
前記操作検出手段は、前記ゼロクロス信号が予め設定された所定期間以上入力されない場合に、商用電源から前記電源ユニットへの電力の供給が停止された旨の信号を出力するワンショットマルチ回路を備えることを特徴とする請求項３に記載の制御ユニット初期化装置。
【請求項５】
前記制御ユニットは、リセットＩＣを備え、
前記リセット信号生成手段は、前記操作検出手段によって電力の供給が停止されたと検出された場合に、前記リセットＩＣのリセット信号出力端子からリセット信号を出力させることを特徴とする請求項１に記載の制御ユニット初期化装置。
【請求項６】
前記リセット信号生成手段は、前記操作検出手段によって電力の供給が停止されたと検出された場合に、前記リセットＩＣのリセット信号出力端子から、プルアップ抵抗を介して、リセット信号を出力させるトランジスタを備えることを特徴とする請求項５に記載の制御ユニット初期化装置。
【請求項７】
前記リセット信号生成手段は、前記操作検出手段によって電力の供給が停止されたと検出された場合に、リセット信号を出力する旨の指令信号を生成する指令回路と、
前記指令回路からの指令信号、及び、前記リセットＩＣからのリセット信号、の少なくとも一方が出力された場合に、前記ＣＰＵに対して、リセット信号を出力する論理回路と、
を備えることを特徴とする請求項６に記載の制御ユニット初期化装置。
【請求項８】
前記接地手段は、前記操作検出手段によって電力の供給が停止されたと検出された場合にオン状態とされるトランジスタと、一方端が前記トランジスタと接続され、他方端が前記電源ラインに接続された負荷抵抗とを備え、
前記トランジスタがオン状態とされた場合に、負荷抵抗の前記一方端が接地されるべく構成されていることを特徴とする請求項２に記載の制御ユニット初期化装置。
【請求項９】
記録紙上にトナー像を定着する定着ユニットと、
外部から操作可能な電源スイッチを介して商用電源と通電可能に接続され、予め設定された所定の直流電圧を生成する電源ユニットと、
前記電源ユニットから所定の直流電圧が印加されると共に、前記定着ユニットの動作を制御するＣＰＵを有する制御ユニットと、
請求項１〜請求項８のいずれかに記載の制御ユニット初期化装置と、
を備えることを特徴とする電子機器。
【発明の詳細な説明】
【技術分野】
【０００１】
本発明は、外部から操作可能な電源スイッチを介して商用電源と通電可能に接続された電源ユニットから予め設定された所定の直流電圧が印加されると共に、ＣＰＵを有する制御ユニットを初期化する制御ユニット初期化装置及び電子機器に関するものである。特に、記録紙上に画像を形成する装置である複写機、プリンタ、ファクシミリ、インターネットファクシミリ、及び、これらの機能の内のいずれかの機能を有する複合機に関するものである。
【背景技術】
【０００２】
複写機、プリンタ等の画像形成装置において、何らかの異常（ジャム、ハングアップ等）が発生した場合に、ユーザが画像形成装置を復旧する目的で、電源スイッチをＯＦＦした後、電源スイッチをＯＮするという操作が行われる場合がある。
【０００３】
一方、画像形成装置は、商用電源から画像形成装置内部で使用する直流電圧（例えば、５Ｖ、２４Ｖ等）を生成するための電源ユニットを有しており、この電源ユニットから出力される直流電圧の負荷変動を抑制する目的、又は、ノイズを低減する目的で、制御ユニット等の基板の各所に電解コンデンサ等からなる容量負荷が配設されている（特許文献１参照）。
【特許文献１】特開２００６−２０１３８４号公報
【発明の開示】
【発明が解決しようとする課題】
【０００４】
従って、電源スイッチをＯＦＦしても、容量負荷及び浮遊容量等の影響で、画像形成装置に配設された制御ユニットに供給される直流電圧は緩やかに減少する。そこで、ユーザが異常状態からの復帰を目的として、電源スイッチをＯＦＦ操作した後、ＯＮ操作した場合にも、ＯＦＦ操作とＯＮ操作との間隔が短い場合には、制御ユニットが異常状態を保持したままとなる場合がある。この場合には、ユーザは上記操作（電源スイッチをＯＦＦした後、ＯＮする操作）を繰り返すことになり、煩雑である。
【０００５】
本発明は、上記課題に鑑みてなされたものであって、電源スイッチがＯＦＦされた場合に確実に制御ユニットを初期化することの可能な制御ユニット初期化装置及び電子機器を提供することを目的としている。
【課題を解決するための手段】
【０００６】
上記目的を達成するために請求項１に記載の制御ユニット初期化装置は、外部から操作可能な電源スイッチを介して商用電源と通電可能に接続された電源ユニットから予め設定された所定の直流電圧が印加されると共に、ＣＰＵを有する制御ユニットを初期化する制御ユニット初期化装置であって、前記電源スイッチを介して商用電源から前記電源ユニットへの電力の供給が停止されたことを検出する操作検出手段と、前記操作検出手段によって電力の供給が停止されたと検出された場合に、前記ＣＰＵに対して、リセット信号を出力するリセット信号生成手段と、を備えることを特徴としている。
【０００７】
請求項２に記載の制御ユニット初期化装置は、外部から操作可能な電源スイッチを介して商用電源と通電可能に接続された電源ユニットから予め設定された所定の直流電圧が印加されると共に、ＣＰＵを有する制御ユニットを初期化する制御ユニット初期化装置であって、前記電源スイッチを介して商用電源から前記電源ユニットへの電力の供給が停止されたことを検出する操作検出手段と、前記操作検出手段によって電力の供給が停止されたと検出された場合に、前記所定の直流電圧を前記制御ユニットに供給する配線である電源ラインを接地する接地手段と、を備えることを特徴としている。
【０００８】
請求項３に記載の制御ユニット初期化装置は、請求項１又は請求項２に記載の制御ユニット初期化装置であって、前記電源ユニットが、商用電源から供給される電圧のゼロクロス点に対応するパルス信号であるゼロクロス信号を生成するゼロクロス信号生成手段を備え、前記操作検出手段が、前記ゼロクロス信号に基づいて、商用電源から前記電源ユニットへの電力の供給が停止されたことを検出することを特徴としている。
【０００９】
請求項４に記載の制御ユニット初期化装置は、請求項３に記載の制御ユニット初期化装置であって、前記操作検出手段が、前記ゼロクロス信号が予め設定された所定期間以上入力されない場合に、商用電源から前記電源ユニットへの電力の供給が停止された旨の信号を出力するワンショットマルチ回路を備えることを特徴としている。
【００１０】
請求項５に記載の制御ユニット初期化装置は、請求項１に記載の制御ユニット初期化装置であって、前記制御ユニットは、リセットＩＣを備え、前記リセット信号生成手段が、前記操作検出手段によって電力の供給が停止されたと検出された場合に、前記リセットＩＣのリセット信号出力端子からリセット信号を出力させることを特徴としている。
【００１１】
請求項６に記載の制御ユニット初期化装置は、請求項５に記載の制御ユニット初期化装置であって、前記リセット信号生成手段が、前記操作検出手段によって電力の供給が停止されたと検出された場合に、前記リセットＩＣのリセット信号出力端子から、プルアップ抵抗を介して、リセット信号を出力させるトランジスタを備えることを特徴としている。
【００１２】
請求項７に記載の制御ユニット初期化装置は、請求項６に記載の制御ユニット初期化装置であって、前記リセット信号生成手段は、前記操作検出手段によって電力の供給が停止されたと検出された場合に、リセット信号を出力する旨の指令信号を生成する指令回路と、前記指令回路からの指令信号、及び、前記リセットＩＣからのリセット信号、の少なくとも一方が出力された場合に、前記ＣＰＵに対して、リセット信号を出力する論理回路と、を備えることを特徴としている。
【００１３】
請求項８に記載の制御ユニット初期化装置は、請求項２に記載の制御ユニット初期化装置であって、前記接地手段は、前記操作検出手段によって電力の供給が停止されたと検出された場合にオン状態とされるトランジスタと、一方端が前記トランジスタと接続され、他方端が前記電源ラインに接続された負荷抵抗とを備え、前記トランジスタがオン状態とされた場合に、負荷抵抗の前記一方端が接地されるべく構成されていることを特徴としている。
【００１４】
請求項９に記載の電子機器は、記録紙上にトナー像を定着する定着ユニットと、
外部から操作可能な電源スイッチを介して商用電源と通電可能に接続され、予め設定された所定の直流電圧を生成する電源ユニットと、前記電源ユニットから所定の直流電圧が印加されると共に、前記定着ユニットの動作を制御するＣＰＵを有する制御ユニットと、請求項１〜請求項８のいずれかに記載の制御ユニット初期化装置と、を備えることを特徴としている。
【発明の効果】
【００１５】
請求項１に記載の制御ユニット初期化装置によれば、商用電源からの電力の供給が停止されたと検出された場合（例えば、電源スイッチがＯＦＦされた場合）に、制御ユニットのＣＰＵに対して、リセット信号が出力されるため、ＣＰＵによってリセット処理が実行され、確実に制御ユニットを初期化することができる。
【００１６】
請求項２に記載の制御ユニット初期化装置によれば、商用電源からの電力の供給が停止されたと検出された場合（例えば、電源スイッチがＯＦＦされた場合）に、電源ユニットから所定の直流電圧を制御ユニットに供給する配線である電源ラインが接地されるため、制御ユニットに供給される直流電圧が瞬時に「０」となるので、確実に制御ユニットを初期化することができる。
【００１７】
請求項３に記載の制御ユニット初期化装置によれば、ゼロクロス信号に基づいて、商用電源から電源ユニットへの電力の供給が停止されたことが検出されるので、商用電源から電源ユニットへの電力の供給が停止されたことを、正確に検出することができる。
【００１８】
また、プリンタ等の画像形成装置では、定着温度を制御するためにゼロクロス信号が使用されているため、商用電源から電源ユニットへの電力の供給が停止されたことを、簡素な構成で、且つ、正確に検出することができる。
【００１９】
請求項４に記載の制御ユニット初期化装置によれば、ワンショットマルチ回路によって、ゼロクロス信号が予め設定された所定期間以上入力されない場合に、商用電源から電源ユニットへの電力の供給が停止された旨の信号が出力されるため、商用電源から電源ユニットへの電力の供給が停止されたことを、簡素な構成で、且つ、正確に検出することができる。
【００２０】
請求項５に記載の制御ユニット初期化装置によれば、商用電源からの電力の供給が停止されたと検出された場合に、リセットＩＣのリセット信号出力端子からリセット信号が出力されるため、簡素な構成で、且つ、正確にリセット信号を出力することができる。
【００２１】
請求項６に記載の制御ユニット初期化装置によれば、商用電源からの電力の供給が停止されたと検出された場合に、トランジスタによって、リセットＩＣのリセット信号出力端子から、プルアップ抵抗を介してリセット信号が出力されるため、更に簡素な構成で、且つ、正確にリセット信号を出力することができる。
【００２２】
請求項７に記載の制御ユニット初期化装置によれば、商用電源からの電力の供給が停止されたと検出された場合にリセット信号を出力する旨の指令信号を生成する指令回路からの指令信号、及び、リセットＩＣからのリセット信号、の少なくとも一方が出力された場合に、論理回路によって、ＣＰＵに対して、リセット信号が出力されるため、更に簡素な構成で、且つ、正確にリセット信号を出力することができる。
【００２３】
請求項８に記載の制御ユニット初期化装置によれば、電力の供給が停止されたと検出された場合にトランジスタがオン状態とされ、他方端が電源ラインに接続された負荷抵抗の一方端が接地されるため、更に簡素な構成で、且つ、確実に制御ユニットを初期化することができる。
【００２４】
請求項９に記載の電子機器によれば、請求項１〜請求項８のいずれかに記載の制御ユニット初期化装置を備えるため、確実に制御ユニットを初期化することが可能な電子機器を実現することができる。
【発明を実施するための最良の形態】
【００２５】
以下、本発明に係る電子機器の一例について図面を参照して説明する。図１は、本発明に係る電子機器の概略構成の一例を示す模式図（側面図）である。なお、ここでは、電子機器が、モノクロのプリンタである場合について説明するが、カラープリンタである形態でもよいし、トナーを転写することにより記録紙上に画像を形成する他の画像形成装置（例えば、ファクシミリ、複写機等）である形態でもよい。更に、電子機器が、画像形成装置以外の電子機器（例えば、ＤＶＤ（Ｄｉｇｉｔａｌ  Ｖｅｒｓａｔｉｌｅ  Ｄｉｓｃ）プレイヤ等）である形態でもよい。図１に示すように、プリンタ１００は、表示部１、操作部２、現像ユニット３、感光ユニット４、レーザ走査ユニット５、及び定着ユニット６を備えている。また、プリンタ１００には、適所に、電源ユニット７、制御ユニット８、及び、制御ユニット初期化装置９が配設されている（図３参照）。
【００２６】
表示部１は、外部から視認可能に種々の情報を表示するものであって、具体的には、例えば、ＬＣＤ（Ｌｉｑｕｉｄ  Ｃｒｙｓｔａｌ  Ｄｉｓｐｌａｙ）等からなり種々の操作情報、設定情報、ガイダンス情報等を表示するものである。
【００２７】
操作部２は、外部からの操作を受け付けるものであって、具体的には、例えば、種々の操作ボタン、表示部１に配設されたＬＣＤと一体に形成されたタッチパネル等からなり、ユーザからの操作を受け付けるものである。
【００２８】
現像ユニット３は、レーザ走査ユニット５からのレーザビーム等によって感光ドラムの表面に形成された、外部装置（例えば、パーソナルコンピュータ等）より入力された画像データに対応する静電潜像にトナーを付着させてトナー像を形成するものである。
【００２９】
感光ユニット４は、感光ドラムを備え、感光ドラムは、まず、その表面が帯電ローラによって略均一に帯電され、次に、現像ユニット３によって、原稿画像に対応する静電潜像にトナーが付着されてトナー像が形成され、更に、そのトナー像が転写ローラによって記録紙上に転写されるものである。
【００３０】
定着ユニット６は、加熱ローラ（＝定着ローラ）６１を備え、感光ユニット４で記録紙上に転写されたトナー像を、記録紙上に定着させるものである。また、定着ローラ６１は、図略のハロゲンランプ等のヒータで加熱され、例えば、定着ローラ６１の表面温度は略１８０℃となるように制御される。
【００３１】
定着ユニット６においては、ヒータに供給する電力を精度良く制御して、定着ローラ６１の表面温度を定着温度（又は待機温度）に維持している。ここで、ヒータの制御方式として、位相制御方式と半波制御方式とが知られている。
【００３２】
図２は、デューティ比が５０％である場合に位相制御方式及び半波制御方式で生成される電圧（又は電流）の波形図である。（ａ）が、位相制御方式で生成される電圧（又は電流）の波形図であり、（ｂ）が、半波制御方式で生成される電圧（又は電流）の波形図である。位相制御方式又は半波制御方式を適用すると、供給電力のデューティ比を制御することによって、定着ローラ６１の表面温度を制御することができる。
【００３３】
例えば、位相制御方式では、デューティ比を制御するために、商用電源から供給される電圧のゼロクロス点に対応するパルス信号であるゼロクロス信号が使用される。すなわち、ゼロクロス信号が検出された時点から所定時間（例えば、半周期の１／２の時間）経過した時点でＯＮし、ゼロクロス検出時点でＯＦＦすることにより、所望するデューティ比（ここでは、５０％）が得られるのである。
【００３４】
図３は、本発明に係る制御ユニット初期化装置の接続状態の一例を示す構成図である。（ａ）に示すように、制御ユニット初期化装置（以下、初期化装置という）９は、電源ユニット７、及び、制御ユニット８と通信可能に接続されている。電源ユニット７は、ゼロクロス信号生成回路７１を備え、商用電源（例えば、１００Ｖ、６０Ｈｚ）から供給される交流電圧を用いて、予め設定された所定の直流電圧（ここでは、５Ｖ、及び、２４Ｖ）を生成するものである。なお、電源ユニット７と商用電源との間には、電源スイッチ（図示省略）が介設されている。
【００３５】
ゼロクロス信号生成回路７１は、商用電源から供給される電圧のゼロクロス点（電圧値が「０」となる点）に対応するパルス信号であるゼロクロス信号を生成するものである（図５（ａ）参照）。ゼロクロス信号は、例えば、ゼロクロス点を中心として所定幅を有するパルス信号である。また、ゼロクロス信号生成回路７１は、例えば、全波整流回路及びフォトカプラ等を備えている。
【００３６】
制御ユニット８は、プリンタ１００全体の動作を制御するものであって、（ｂ）に示すように、コントローラ基板８１、及び、エンジン基板８２を備えている。コントローラ基板８１は、画像処理等を実行すると共に、エンジン基板８２に対して指令情報を出力するものであって、ＣＰＵ（Ｃｅｎｔｒａｌ  Ｐｒｏｃｅｓｓｉｎｇ  Ｕｎｉｔ）８１１を備えている。
【００３７】
エンジン基板８２は、ＣＰＵ８２１及びリセットＩＣ８２２を備え、記録紙の搬送等を制御するものであって、コントローラ基板８１のＣＰＵ８１１からの指令に基づいて動作するものである。リセットＩＣ８２２は、ＣＰＵ８２１及びＣＰＵ８１１に対して、リセット信号を出力するものである。具体的には、リセットＩＣ８２２は、その出力端子がオープンコレクタ（Ｏｐｅｎ  Ｃｏｌｌｅｃｔｏｒ）であり、リセット信号を出力する場合には、その出力端子がＯＦＦ状態（＝Ｌｏｗレベル）となるものである。
【００３８】
また、コントローラ基板８１には、電源ユニット７から５Ｖの直流電圧が印加され、エンジン基板８２には、電源ユニット７から５Ｖ及び２４の直流電圧が印加されている。また、電源ユニット７からコントローラ基板８１及びエンジン基板８２に供給される直流電圧（５Ｖ、２４Ｖ）の電源ラインには、負荷変動を抑制する目的、又は、ノイズを低減する目的で、容量負荷が接続されている。
【００３９】
図４は、初期化装置９の第１実施形態及び第２実施形態を示す構成図である。第１実施形態に係る初期化装置９１は、（ａ）に示すように、ワンショットマルチ回路９１１、トランジスタＴＲ１、及び、トランジスタＴＲ２を備えている。第２実施形態に係る初期化装置９２は、（ｂ）に示すように、ワンショットマルチ回路９２１、及び、トランジスタＴＲ３を備えている。
【００４０】
ワンショットマルチ回路９１１、９２１（操作検出手段に相当する）は、ゼロクロス信号生成回路７１からのゼロクロス信号Ｓ１が予め設定された所定期間以上入力されない場合に、商用電源から電源ユニット７への電力の供給が停止された旨の信号を出力するものである。図５を用いて、ワンショットマルチ回路９１１、９２１の動作を具体的に説明する。
【００４１】
図５は、ワンショットマルチ回路９１１、９２１の動作の一例を示すタイミングチャートである。（ａ）は、ゼロクロス信号生成回路７１によって生成されるゼロクロス信号Ｓ１を示すタイミングチャートであり、（ｂ）は、ワンショットマルチ回路９１１、９２１の出力信号Ｓ２を示すタイミングチャートである。
【００４２】
（ａ）の上側は、商用電源の電圧波形であり、下側は、ゼロクロス信号Ｓ１の波形である。（ａ）に示すように、ゼロクロス信号Ｓ１は、商用電源の電圧がゼロである点（＝ゼロクロス点）を中心として所定幅を有するパルス信号である。（ｂ）には、上から順に、商用電源の電圧波形、ゼロクロス信号Ｓ１、ワンショットマルチ回路９１１、９２１の出力信号Ｓ２を表示している。
【００４３】
（ｂ）に示すように、時点Ｔ０において、電源スイッチがＯＦＦされ、商用電源の電源ユニット７への供給が停止された場合に、時点Ｔ０以降のゼロクロス信号生成回路７１によるゼロクロス信号Ｓ１が停止され、ゼロクロス信号Ｓ１が停止されてから所定時間後（ここでは、商用電源半周期ΔＴ×４＝１／６０×１／２×４ｓｅｃ）にワンショットマルチ回路９１１、９２１の出力信号Ｓ２がＯＦＦ状態（＝Ｌｏｗレベル）となる。
【００４４】
再び、図４に戻って、第１実施形態に係る初期化装置９１の構成について説明する。トランジスタＴＲ１（接地手段の一部に相当する）は、ＮＰＮ型トランジスタであって、ベースにワンショットマルチ回路９１１の出力信号Ｓ２が供給され、エミッタが接地され、コレクタがプルアップ抵抗Ｒ１を介して５Ｖの直流電源ラインに接続されている。また、トランジスタＴＲ２（接地手段の一部に相当する）は、ＮＰＮ型トランジスタであって、ベースにトランジスタＴＲ１のコレクタが接続され、エミッタが接地され、コレクタが負荷抵抗Ｒ２を介して５Ｖの直流電源ラインに接続されている。
【００４５】
次に、第１実施形態に係る初期化装置９１の動作について説明する。ワンショットマルチ回路９１１の出力信号Ｓ２がＯＦＦ状態（＝Ｌｏｗレベル）となると、トランジスタＴＲ１がＯＦＦ状態となり、トランジスタＴＲ１のコレクタ電圧が略５Ｖとなる。その結果、トランジスタＴＲ２がＯＮ状態となり、負荷抵抗Ｒ２を介して５Ｖの直流電源ラインが接地される。そこで、図３（ｂ）に示す５Ｖの直流電源ラインに接続された容量負荷（及び浮遊容量）の電荷が負荷抵抗Ｒ２を介して流出し、５Ｖの直流電源ラインの電圧が速やかにゼロになるのである。
【００４６】
図４（ｂ）に示すように、第２実施形態に係る初期化装置９２は、図４（ａ）に示す第１実施形態に係る初期化装置９１のトランジスタＴＲ１、ＴＲ２に換えて、トランジスタＴＲ３が接続されたものである。トランジスタＴＲ３（接地手段に相当する）は、ＰＮＰ型トランジスタであって、ベースにワンショットマルチ回路９２１の出力信号Ｓ２が供給され、エミッタが接地され、コレクタが負荷抵抗Ｒ３を介して５Ｖの直流電源ラインに接続されている。
【００４７】
次に、第２実施形態に係る初期化装置９２の動作について説明する。ワンショットマルチ回路９１１の出力信号Ｓ２がＯＦＦ状態（＝Ｌｏｗレベル）となると、トランジスタＴＲ３がＯＮ状態となり、負荷抵抗Ｒ３を介して５Ｖの直流電源ラインが接地される。そこで、図３（ｂ）に示す５Ｖの直流電源ラインに接続された容量負荷（及び浮遊容量）の電荷が負荷抵抗Ｒ３を介して流出し、５Ｖの直流電源ラインの電圧が速やかにゼロになるのである。
【００４８】
図６は、初期化装置９の第３実施形態及び第４実施形態を示す構成図である。第３実施形態に係る初期化装置９３は、（ａ）に示すように、ワンショットマルチ回路９３１、トランジスタＴＲ４、及び、トランジスタＴＲ５を備えている。第４実施形態に係る初期化装置９４は、（ｂ）に示すように、ワンショットマルチ回路９４１、ＮＯＴ回路９４２、及び、ＡＮＤ回路９４３を備えている。ワンショットマルチ回路９３１、９４１（操作検出手段に相当する）は、第１実施形態に係る初期化装置９１のワンショットマルチ回路９１１と同一のものであるため、その説明を省略する。
【００４９】
図６（ａ）に示すように、第３実施形態に係る初期化装置９３は、図４（ａ）に示す第１実施形態に係る初期化装置９１のトランジスタＴＲ１、ＴＲ２に換えて、トランジスタＴＲ４、ＴＲ５が接続されたものである。トランジスタＴＲ４（リセット信号生成手段の一部に相当する）は、ＮＰＮ型トランジスタであって、ベースにワンショットマルチ回路９３１の出力信号Ｓ２が供給され、エミッタが接地され、コレクタがプルアップ抵抗Ｒ４を介して５Ｖの直流電源ラインに接続されている。また、トランジスタＴＲ５（リセット信号生成手段の一部に相当する）は、ＮＰＮ型トランジスタであって、ベースにトランジスタＴＲ４のコレクタが接続され、エミッタが接地され、コレクタがプルアップ抵抗Ｒ５を介して５Ｖの直流電源ラインに接続されると共に、図３（ｂ）に示すエンジン基板８２に配設されたリセットＩＣ８２２の出力端子に接続されている。
【００５０】
次に、第３実施形態に係る初期化装置９３の動作について説明する。ワンショットマルチ回路９３１の出力信号Ｓ２がＯＦＦ状態（＝Ｌｏｗレベル）となると、トランジスタＴＲ４がＯＦＦ状態となり、トランジスタＴＲ４のコレクタ電圧が略５Ｖとなる。その結果、トランジスタＴＲ５がＯＮ状態となり、リセットＩＣ８２２の出力端子からリセット信号Ｓ３が出力された状態（ＯＦＦ状態＝Ｌｏｗレベル）となり、ＣＰＵ８２１及びＣＰＵ８１１（図３（ｂ）参照）がリセットされるのである。
【００５１】
図６（ｂ）に示すように、第４実施形態に係る初期化装置９４は、図６（ａ）に示す第３実施形態に係る初期化装置９３のトランジスタＴＲ４、ＴＲ５に換えて、ＮＯＴ回路９４２、及び、ＡＮＤ回路９４３が接続されたものである。ただし、ワンショットマルチ回路９４１（操作検出手段に相当する）は、第１実施形態に係る初期化装置９１のワンショットマルチ回路９１１の出力を反転したものである。すなわち、ワンショットマルチ回路９４１は、時点Ｔ０において、電源スイッチがＯＦＦされ、商用電源の電源ユニット７への供給が停止された場合に、時点Ｔ０以降のゼロクロス信号生成回路７１によるゼロクロス信号Ｓ１が停止され、ゼロクロス信号Ｓ１が停止されてから所定時間後（ここでは、商用電源半周期ΔＴ×４＝１／６０×１／２×４ｓｅｃ）にワンショットマルチ回路９４１の出力信号Ｓ２’がＯＮ状態（＝Ｈｉｇｈレベル）となるものである（図５（ｂ）参照）。
【００５２】
ＮＯＴ回路９４２（指令回路、リセット信号生成手段の一部に相当する）は、信号を反転させるものであって、ワンショットマルチ回路９４１の出力信号Ｓ２’が入力され、ＡＮＤ回路９４３に出力信号Ｓ２’を反転した信号が出力されるものである。ＡＮＤ回路９４３（論理回路、リセット信号生成手段の一部に相当する）は、２つの入力信号が共にＯＮ状態（＝Ｈｉｇｈレベル）である場合に、ＯＮ信号（＝Ｈｉｇｈレベル）を出力するものであって、図３（ｂ）に示すエンジン基板８２に配設されたリセットＩＣ８２２の出力、及び、ＮＯＴ回路９４２の出力信号が入力され、ＣＰＵ８２１及びＣＰＵ８１１に対してリセット信号Ｓ４が出力されるものである。
【００５３】
また、リセットＩＣ８２２の出力端子の出力端子には、プルアップ抵抗Ｒ６が接続されている。そこで、リセットＩＣ８２２がリセット信号を出力しない場合に、その出力端子がオープンコレクタオープンコレクタとなるため、プルアップ抵抗Ｒ６によってＯＮ状態（＝Ｈｉｇｈレベル）となるようにしている。
【００５４】
次に、第４実施形態に係る初期化装置９４の動作について説明する。ゼロクロス信号Ｓ１が停止され、ゼロクロス信号Ｓ１が停止されてから所定時間後にワンショットマルチ回路９４１の出力信号Ｓ２’がＯＮ状態（＝Ｈｉｇｈレベル）となると、ＮＯＴ回路９４２の出力信号Ｓ２’がＯＦＦ状態（＝Ｌｏｗレベル）となる。そこで、ＡＮＤ回路９４３の出力がＯＦＦ状態（＝Ｌｏｗレベル）となり、ＣＰＵ８２１及びＣＰＵ８１１に対してリセット信号Ｓ４が出力されるものである。
【００５５】
このようにして、第３実施形態の初期化装置９３又は第４実施形態の初期化装置９４によれば、商用電源からの電力の供給が停止されたと検出された場合（例えば、電源スイッチがＯＦＦされた場合）に、制御ユニット８のＣＰＵ８１１、８１２に対して、リセット信号が出力されるため、ＣＰＵ８１１、８２１によってリセット処理が実行され、確実に制御ユニットを初期化することができる。
【００５６】
また、第１実施形態の初期化装置９１又は第２実施形態の初期化装置９２によれば、商用電源からの電力の供給が停止されたと検出された場合（例えば、電源スイッチがＯＦＦされた場合）に、電源ユニット７から所定の直流電圧を制御ユニット８に供給する配線である電源ラインが接地されるため、制御ユニット８に供給される直流電圧が瞬時に「０」となるので、確実に制御ユニット８を初期化することができる。
【００５７】
更に、第１〜第４実施形態の初期化装置９１〜９４によれば、ゼロクロス信号Ｓ１に基づいて、商用電源から電源ユニット７への電力の供給が停止されたことが検出されるので、商用電源から電源ユニット７への電力の供給が停止されたことを、正確に検出することができる。
【００５８】
加えて、第１〜第４実施形態の初期化装置９１〜９４によれば、プリンタ１００では、定着温度を制御するためにゼロクロス信号Ｓ１が使用されているため、商用電源から電源ユニット７への電力の供給が停止されたことを、簡素な構成で、且つ、正確に検出することができる。
【００５９】
また、第１〜第４実施形態の初期化装置９１〜９４によれば、ワンショットマルチ回路９１１〜９４１によって、ゼロクロス信号Ｓ１が予め設定された所定期間以上入力されない場合に、商用電源から電源ユニット７への電力の供給が停止された旨の信号Ｓ２、Ｓ２’が出力されるため、商用電源から電源ユニット７への電力の供給が停止されたことを、簡素な構成で、且つ、正確に検出することができる。
【００６０】
更に、第３実施形態の初期化装置９３又は第４実施形態の初期化装置９４によれば、商用電源からの電力の供給が停止されたと検出された場合に、リセットＩＣ８２２のリセット信号出力端子からリセット信号Ｓ３、Ｓ４が出力されるため、簡素な構成で、且つ、正確にリセット信号を出力することができる。
【００６１】
加えて、第３実施形態の初期化装置９３によれば、商用電源からの電力の供給が停止されたと検出された場合に、トランジスタＴＲ４、ＴＲ５によって、リセットＩＣ８２２のリセット信号出力端子から、プルアップ抵抗Ｒ５を介してリセット信号Ｓ３が出力されるため、更に簡素な構成で、且つ、正確にリセット信号を出力することができる。
【００６２】
また、第４実施形態の初期化装置９４によれば、商用電源からの電力の供給が停止されたと検出された場合にリセット信号を出力する旨の指令信号を生成するＮＯＴ回路９４２からの指令信号、及び、リセットＩＣ８２２からのリセット信号、の少なくとも一方が出力された場合に、ＡＮＤ回路９４３によって、ＣＰＵ８１１、８２１に対して、リセット信号Ｓ４が出力されるため、更に簡素な構成で、且つ、正確にリセット信号を出力することができる。
【００６３】
更に、第１実施形態の初期化装置９１又は第２実施形態の初期化装置９２によれば、電力の供給が停止されたと検出された場合にトランジスタＴＲ２、ＴＲ３がオン状態とされ、他方端が電源ラインに接続された負荷抵抗Ｒ２、Ｒ３の一方端が接地されるため、更に簡素な構成で、且つ、確実に制御ユニット８を初期化することができる。
【００６４】
なお、本発明は、以下の形態にも適用可能である。
（Ａ）第１〜第４実施形態では、電子機器が、プリンタ１００である場合について説明したが、電子機器が、その他の画像形成装置である形態でもよいし、電子機器が、画像形成装置以外の電子機器（例えば、ＤＶＤプレイヤ等）である形態でもよい。
【００６５】
（Ｂ）第１〜第４実施形態では、プリンタ１００が２つのＣＰＵ８１１、８２１を備える場合について説明したが、プリンタ１００が１のＣＰＵを備える形態でもよい。
【００６６】
（Ｃ）第１〜第４実施形態では、操作検出手段が、ワンショットマルチ回路９１１〜９４１等からなる場合について説明したが、商用電源から電力の供給が停止されたと検出された場合に、その旨の信号を出力するその他の回路から構成される形態でもよい。
【００６７】
（Ｄ）第１、第２実施形態では、接地手段が、トランジスタＴＲ１〜ＴＲ３等からなる場合について説明したが、商用電源から電力の供給が停止されたと検出された場合に、直流電圧を制御ユニット７に供給する配線である電源ラインを接地するその他の回路から構成される形態でもよい。
【００６８】
（Ｅ）第３、第４実施形態では、リセット信号生成手段が、トランジスタＴＲ４、ＴＲ５、ＮＯＴ回路９４２、ＡＮＤ回路９４３等からなる場合について説明したが、商用電源から電力の供給が停止されたと検出された場合に、ＣＰＵ８１１、８２１に対して、リセット信号を出力するその他の回路から構成される形態でもよい。
【図面の簡単な説明】
【００６９】
【図１】は、本発明に係るプリンタの概略構成の一例を示す模式図（側面図）である。
【図２】は、デューティ比が５０％である場合に位相制御方式及び半波制御方式で生成される電圧（又は電流）の波形図である。
【図３】は、本発明に係る制御ユニット初期化装置の接続状態の一例を示す構成図である。
【図４】は、初期化装置の第１実施形態及び第２実施形態を示す構成図である。
【図５】は、ワンショットマルチ回路の動作の一例を示すタイミングチャートである。
【図６】は、初期化装置の第３実施形態及び第４実施形態を示す構成図である。
【符号の説明】
【００７０】
１００    プリンタ（電子機器）
６    定着ユニット
６１    定着ローラ
７    電源ユニット
７１    ゼロクロス信号生成回路
８    制御ユニット
８１    コントローラ基板
８１１    ＣＰＵ
８２    エンジン基板
８２１    ＣＰＵ
８２２    リセットＩＣ
９１〜９４    初期化装置（制御ユニット初期化装置）
９１１〜９１４    ワンショットマルチ回路（操作検出手段）
ＴＲ１〜ＴＲ３    トランジスタ（接地手段）
ＴＲ４、ＴＲ５    トランジスタ（リセット信号生成手段の一部）
９４２    ＮＯＴ回路（リセット信号生成手段の一部）
９４３    ＡＮＤ回路（リセット信号生成手段の一部）
【図１】
2008080531.tif 000003
【図２】
2008080531.tif 000004
【図３】
2008080531.tif 000005
【図４】
2008080531.tif 000006
【図５】
2008080531.tif 000007
【図６】
2008080531.tif 000008